(57)【要約】【課題】本願においては、情報記録媒体の形状が円盤状である場合でも認識装置が大掛かりかつ高価となってしまうことなく実用に適した、情報記録媒体の形状が円盤状である場合でも認識装置が簡易かつ安価な構成が可能な円盤状情報記録媒体およびその読取装置を提供することが望まれていたものである。【解決手段】本願発明においては、円盤状情報記録媒体の特定の円周上に不正防止情報を設けたことを特徴とする円盤状情報記録媒体、および円盤状情報記録媒体の読取装置において、円盤状情報記録媒体の不正防止情報が設けられた特定の円周上に位置する様に不正防止情報読取ヘッドを設けたことを特徴とする円盤状情報記録媒体の読取装置などを提供するものである。【選択図】図１
2004273081.tif 000002
【特許請求の範囲】
【請求項１】
円盤状情報記録媒体の特定の円周上に不正防止情報を設けたことを特徴とする円盤状情報記録媒体。
【請求項２】
請求項１記載の不正防止情報が、円周方向に不連続であることを特徴とする円盤状情報記録媒体。
【請求項３】
円盤状情報記録媒体の読取装置において、円盤状情報記録媒体の不正防止情報が設けられた特定の円周上に位置する様に不正防止情報読取ヘッドを設けたことを特徴とする円盤状情報記録媒体の読取装置。
【請求項４】
請求項３記載の円盤状情報記録媒体の読取装置において、読取動作時に不正防止情報読取ヘッドにより不正防止情報が得られ、不正を判別し、不正と判断されたときに、内容情報を使用禁止にする機構を設けたことを特徴とする円盤状情報記録媒体の読取装置。
【請求項５】
請求項３記載の円盤状情報記録媒体の読取装置において、読取動作時に不正防止情報読取ヘッドにより不正防止情報が得られたときに、ネットに不正防止情報をアクセスすることにより円盤状情報記録媒体の不正を判別し、不正と判断されたときに円盤状情報記録媒体の内容情報を使用禁止にする機構を設けたことを特徴とする円盤状情報記録媒体の読取装置。
【発明の詳細な説明】
【０００１】
【発明の属する技術分野】
本発明は、音楽ＣＤ、プログラムＣＤなどの各種ＣＤやＤＶＤ、ＬＤなどの各種円盤状情報記録媒体において、その使用権原が違法コピーや使用権原のない使用、偽造などの各種不正を防止するのに役立つ円盤状情報記録媒体およびその読取装置に係る。
【０００２】
【従来の技術】
従来より各種円盤状情報記録媒体において、使用権原が違法コピーや使用権原のない使用、偽造などの各種不正を防止するための各種プロテクト方式や、認証方式、確認方式が用いられてきた。その様な代表的な方式としては、情報自体に不正防止手段を付加、もしくは組み込むのが一般的であった。しかし、この様な不正防止手段と不正手段とはいたちごっこ状態になっており、新しい不正防止手段が開発されてしばらくするとそれに対する不正手段が開発される状況にある。
【０００３】
この様な状況を打開するため、円盤状情報記録媒体と共働するＣＤキー等のコードナンバーを紙媒体等で別途提供し、両方が整合して始めて正常動作もしくは正常認証する技術が用いられている。
【０００４】
しかしながらこの手段でも、その紙媒体等自体を何らかの手段で複写等を行えば不正は可能である。
【０００５】
これに対して特許文献１の様に、情報記録媒体自体にＣＤキー等の不正防止情報を内容の情報とは別途設けることが行われていた。
【０００６】
しかし、この手段はＩＣタグやカードの様な不正防止情報が設けられている位置が決まっている場合には有効であったが、情報記録媒体の形状が円盤状である場合には回転可能であり、その円周方向のどの位置に不正防止情報が設けられているか認識するために全周にわたって不正防止情報が認識できる機構としたのでは、認識装置が大掛かりかつ高価となってしまい、実用には適しなかった。
【０００７】
従って従来のＣＤなどの情報記録媒体のレーベル面は図４に示す様に、単にその情報内容の表示の他、その利用許諾条件（シェアウエアである旨）などを表示するに留まっていた。
【０００８】
【特許文献１】
特開平１１−３５３４３３号公報
【０００９】
【発明が解決しようとする課題】
そこで本発明が解決しようとする課題は、上記問題点、すなわちこの手段はＩＣタグやカードの様な不正防止情報が設けられている位置が決まっている場合には有効であったが、情報記録媒体の形状が円盤状である場合には回転可能であり、その円周方向のどの位置に不正防止情報が設けられているか認識するために全周にわたって不正防止情報が認識できる機構としたのでは、認識装置が大掛かりかつ高価となってしまい、実用には適しなかったという問題点を解決すべく、情報記録媒体の形状が円盤状である場合でも認識装置が簡易かつ安価な構成が可能な円盤状情報記録媒体およびその読取装置を提供することにある。
【００１０】
【課題を解決するための手段】
本発明の請求項１に係る発明における課題を解決するための手段は、円盤状情報記録媒体の特定の円周上に不正防止情報を設けたことを特徴とする円盤状情報記録媒体を提供するものである。
【００１１】
請求項２に係る発明における課題を解決するための手段は、請求項１記載の不正防止情報が、円周方向に不連続であることを特徴とする円盤状情報記録媒体を提供するものである。
【００１２】
請求項３に係る発明における課題を解決するための手段は、円盤状情報記録媒体の読取装置において、円盤状情報記録媒体の不正防止情報が設けられた特定の円周上に位置する様に不正防止情報読取ヘッドを設けたことを特徴とする円盤状情報記録媒体の読取装置を提供するものである。
【００１３】
請求項４に係る発明における課題を解決するための手段は、請求項３記載の円盤状情報記録媒体の読取装置において、読取動作時に不正防止情報読取ヘッドにより不正防止情報が得られ、不正を判別し、不正と判断されたときに、内容情報を使用禁止にする機構を設けたことを特徴とする円盤状情報記録媒体の読取装置を提供するものである。
【００１４】
請求項５に係る発明における課題を解決するための手段は、請求項３記載の円盤状情報記録媒体の読取装置において、読取動作時に不正防止情報読取ヘッドにより不正防止情報が得られたときに、ネットに不正防止情報をアクセスすることにより円盤状情報記録媒体の不正を判別し、不正と判断されたときに円盤状情報記録媒体の内容情報を使用禁止にする機構を設けたことを特徴とする円盤状情報記録媒体の読取装置を提供するものである。
【００１５】
【発明の実施の形態】
本発明の片面に内容情報が記録がされている円盤状情報記録媒体とは、ＣＤ、ＤＶＤ、ＬＤその他の各種メディアを示す。
【００１６】
また、内容情報は、音楽などの音声情報、画像、動画、プログラムやデータベースなどのデータ、その他各種の情報を示す。
【００１７】
特定の円周上とは、一般的に最外周が読取装置のヘッド設置や情報量の関係で好ましいが、最内周や、その他の中間部分に設けてあるものでも、さらに必要とされる情報量によっては複数の円周に設けるものであってもかまわない。
【００１８】
不正防止情報には、内容情報の利用や使用、複製、読出、通信時に原本もしくは不正でない旨や正規である旨の認証、もしくは正常動作し、もしくは異常動作を防止する、もしくはパスワード等の他の情報とともにこの様な動作を行うプログラムやそのプログラムで使用されるデータなどの、不正使用に対して、もしくは正規使用に対して反応するのに用いられる各種の情報が含まれる。
【００１９】
さらに不正とは、その円盤状情報記録媒体が正規品を模した海賊版である場合や、正規品の複製が防止されている場合の正規品からの複製品や、許諾した人の様に特定の人や許諾した機器の様に特定の機器のみが正規使用とする場合にこの様な正規使用以外の使用や、通信などの特定の使用態様のみを認める場合の認められない使用態様、使用回数や使用期間などを特定している場合のその条件から外れた使用などの各種の正規ではない通信、再現、複製などの各種使用を示す。
【００２０】
また、この様な不正防止情報は、磁気記録などで代表される電磁的記録方法などの不可視情報の表現形式をとっている。
【００２１】
不正防止情報記録領域には、その磁気記録のための記録層を必要とするが、この記録層は全面に設けるものでもよいが、少なくとも不正防止情報が記録される領域に設けるものであればその設ける領域の大小は問わない。
【００２２】
このときの記録層は、記録方式により各種の構成が用いられるが、例えば軟磁性体薄膜や、強磁性体と軟磁性体の二層構造などが採りうる。
【００２３】
また、記録媒体に直接記録層を設けなくとも、既に不正防止情報が付与されている軟磁性体薄膜等を連続もしくは離散させて貼り付けるものであっても構わない。
【００２４】
また、不正防止情報は円周方向に連続して設けるものでも構わないが、不連続に設けるものであっても構わない。
【００２５】
また、不正防止情報は、通常は内容情報が記録されていない面、つまりレーベル面などの面に設けることが一般的であるが、必ずしもそれに限られない。
【００２６】
さらに読取装置において、円盤状情報記録媒体の不正防止情報が設けられた特定の円周上に位置する様に不正防止情報読取ヘッドを設けたことが必要である。
【００２７】
また、この読取装置は読取のみを行い、通信によりデータ処理を行うものでも構わないが、処理装置と合体しているものでも構わない。
【００２８】
例えば、ゲームであればゲーム機、ソフトウエアであればパソコンで処理を行う構成などが採り得る。
【００２９】
具体的には、読取動作時に不正防止情報読取ヘッドにより不正防止情報が得られ、その不正防止情報が不正判別装置に送られ、その不正判別装置にて不正を判別するものであっても構わない。
【００３０】
同様に、インターネット、イントラネットなどの各種通信設備を用いてネット上の特定に不正防止情報をアクセスすることにより不正防止情報を送付し、不正判別情報を得ることにより円盤状情報記録媒体の不正を判別する様な、ホストコンピュータでエミュレート処理による構成のものであっても構わない。
【００３１】
なお、この読取装置は、回転制御装置や内容情報読取装置と協働することにより、より正確に読取可能である。
【００３２】
これにより、内容情報の読取と同時に実行が可能であり、内容情報の読取の他に不正防止情報の読取を行っていることに気づきにくくすることが可能であり、これによって不正防止情報による不正抑止機能を高くすることが可能になる。
【００３３】
なお、この読取装置は、読取専用であっても構わないが、使用禁止情報や利用者特定情報、利用機器特定情報などを記録することが可能な書込機能を併せ持つものであっても構わない。
【００３４】
【実施例】
以下に、本発明の一実施例を図面に従って説明する。
【００３５】
図１は本発明の一実施例の円盤状情報記録媒体がＣＤである場合の不正防止情報を設けた面であるレーベル面を示す平面図である。
【００３６】
図２は、その内容情報を記録した面である記録面を示す内容情報面の平面図である。
【００３７】
まず、本発明の検査に用いられる情報記録媒体は中央に円形の孔が設けられている円盤状の形状のＣＤであり、片面の内容情報面１２にシェアウエアソフトプログラムが記録されている。
【００３８】
内容情報面１２の反対面はレーベル面１０となっており、そのレーベル面１０にはその内容情報を表示する表題や内容情報の利用方法、その著作権表示、著作権料の支払い条件や支払い方法などがレーベルとして表示されている。
【００３９】
そのレーベル面１０の周縁部には、ＩＤパターン１１が円形かつ離散的に設けられている。このＩＤパターン１１としては、強磁性体と軟磁性体の二層磁性体が円形に設けられており、その磁性体に離散的に磁気パターンが、不連続な軟磁性パタンとして形成されている。
【００４０】
磁気パターンの内容は、フライングナル社のＩＤ付与技術で記録されているもので、その情報内容はＩＤコードであるが、その情報形式の詳細については不正防止のために開示しない。
【００４１】
次にこのＣＤの読取装置であるが、図３の読取状態を示す斜視図に示す様に、回転制御装置２３により回転制御可能になっている。
【００４２】
実際には回転制御装置の回転に同期して読取ヘッドが働き、記録されているＩＤコードが読み取ることができる様になっている。
【００４３】
読み取られたＩＤはインターネットプロトコルに変換された上で、サーバーに送られる。これに対してサーバーではこのＩＤが有効であるか否かを判定し、その判定結果を内容情報読取装置に送る。
【００４４】
送られた判定結果を内容情報読取装置が受け取り、判定結果が認証であれば、内容情報の読取実行結果を出力し、他方判定結果が不正であれば、内容情報の読取実行結果を出力せず、代わりにＩＤが無効である旨を出力する。
【００４５】
【発明の効果】
以上の様に、本発明によれば、情報記録媒体の形状が円盤状である場合でも認識装置が簡易かつ安価な構成が可能な円盤状情報記録媒体およびその読取装置を提供することＩＣチップを内蔵した非接触インターフェースを持つカードまたはタグなどに、通常動作において設定された電波出力強度よりも高い電磁波を与えることで、潜在的な不良を判別し、運用前に不具合を検出し除去することが可能となり、不良品の数を減らすことができる。
【００４６】
特に、ＩＤ等の不正防止情報の管理をホストコンピュータなどによって行う構成もセキュリティー上可能になり、この場合にＩＤ管理の負担を減少することが可能になる。
【００４７】
また、ＩＤの管理が単体としてではなくネット管理も可能になるので、例えばＩＤ数に応じておまけ機能を個別に付与するなどの新たなサービス管理が可能になった。
【図面の簡単な説明】
【図１】本発明の一実施例の円盤状情報記録媒体がＣＤである場合の不正防止情報を設けた面であるレーベル面を示す平面図である。
【図２】その内容情報を記録した面である内容情報面を示す平面図である。
【図３】図１のＣＤとその不正防止情報及び内容情報の読取状態を示す斜視図である。
【図４】従来のレーベル面を示す平面図である。
【符号の説明】
１０：レーベル面
１１：ＩＤパターン
１２：内容情報面
２１：不正防止情報読取装置
２２：内容情報読取装置
２３：回転制御装置
【図１】
2004273081.tif 000003
【図２】
2004273081.tif 000004
【図３】
2004273081.tif 000005
【図４】
2004273081.tif 000006